(57)【要約】【課題】  持ち運びが容易となるように、不使用時には充分に小型にすることができる携帯用スクリーンを提供する。【解決手段】  複数の連結部材２１を連結することにより、一対の短辺部２ａのそれぞれと一対の長辺部２ｂのそれぞれとを構成して全体として矩形状に構成される枠体２と、枠体２に着脱自在に取り付られるスクリーン幕とを備え、スクリーン幕を枠体２に取り付けることによりスクリーン幕に張力が与えられ、その張力によって各連結部材２１同士の連結部分が固定されて全体が一体化されるものである。【選択図】        図２
2005221609.tif 000002
【特許請求の範囲】
【請求項１】
複数の連結部材を連結することにより、一対の短辺部のそれぞれと一対の長辺部のそれぞれとを構成して全体として矩形状に構成される枠体と、
前記枠体に着脱自在に取り付られるスクリーン幕とを備え、
前記スクリーン幕を前記枠体に取り付けることにより前記スクリーン幕に張力が与えられ、その張力によって前記各連結部材同士の連結部分が固定されて全体が一体化されることを特徴とする携帯用スクリーン。
【請求項２】
前記各連結部材のそれぞれは、連結される連結部材との連結面に差し込み部又はこの差し込み部を抜き差し自在に収容する収容部を備え、連結部材同士が抜き差し自在に連結されていることを特徴とする請求項１記載の携帯用スクリーン。
【請求項３】
前記枠体に連結され、前記枠体の歪み変形を防止する補強手段を備え、
前記補強手段は、複数の補強用連結部材を連結することにより構成されていることを特徴とする請求項１又は請求項２記載の携帯用スクリーン。
【請求項４】
前記枠体に連結され、前記枠体の歪み変形を防止する補強手段を備え、
前記補強手段は、短辺部側補強手段及び／又は長辺部側補強手段から構成され、短辺部側補強手段及び長辺部側補強手段のそれぞれは、複数の補強用連結部材を連結して前記枠体の一対の短辺部間又は一対の長辺部間を連結することを特徴とする請求項１又は請求項２記載の携帯用スクリーン。
【請求項５】
前記補強手段を構成する各補強用連結部材それぞれは、連結される補強用連結部材又は前記枠体を構成する前記連結部材との連結面に差し込み部又はこの差し込み部を抜き差し自在に収容する収容部を備え、連結対象の部材と抜き差し自在に連結されていることを特徴とする請求項３又は請求項４記載の携帯用スクリーン。
【請求項６】
連結する前記連結部材の個数を変えて前記枠体を構成することにより、前記枠体に、アスペクト比の異なるスクリーン幕を取り付け可能としたことを特徴とする請求項１乃至請求項５の何れかに記載の携帯用スクリーン。
【請求項７】
前記スクリーン幕は、スクリーン面の周縁に、その周縁を補強する補強布が接合された構成を有し、前記補強布は、前記枠体の表面に設けた係止部に係合する係合部を備えていることを特徴とする請求項１乃至請求項６何れかに記載の携帯用スクリーン。
【発明の詳細な説明】
【技術分野】
【０００１】
本発明は、プロジェクタ等から投影される映像を映すために用いられるスクリーンに関し、更に詳しくは、携帯性の良い携帯用スクリーンに関するものである。
【背景技術】
【０００２】
この種のスクリーンとして、従来より、フレームの内側にスクリーン幕を巻き取る巻き軸を設けると共に、フレームをスクリーン幕の巻方向に伸縮自在に構成し、不使用時に、巻軸にスクリーン幕を巻き付け、フレームを収縮させることで、携帯に便利な大きさにすることを可能にしたものがある（例えば、特許文献１参照）。
【０００３】
【特許文献１】特開平７−４３８３３号公報
【発明の開示】
【発明が解決しようとする課題】
【０００４】
しかしながら、上記従来のスクリーンでは、スクリーン幕において巻き取り方向に相対する２辺、すなわち短辺又は長辺の長さ寸法よりも小型にすることできないため、更なる小型化が要請されていた。
【０００５】
本発明はこのような点に鑑みなされたもので、持ち運びが容易となるように、不使用時には充分に小型にすることができる携帯用スクリーンを提供することを目的とする。
【課題を解決するための手段】
【０００６】
本発明に係る携帯用スクリーンは、複数の連結部材を連結することにより、一対の短辺部のそれぞれと一対の長辺部のそれぞれとを構成して全体として矩形状に構成される枠体と、枠体に着脱自在に取り付られるスクリーン幕とを備え、スクリーン幕を枠体に取り付けることによりスクリーン幕に張力が与えられ、その張力によって各連結部材同士の連結部分が固定されて全体が一体化されるものである。
このように、枠体の各一対の短辺部と長辺部を、それぞれ複数の連結部材を連結することにより構成しているので、使用後は、連結状態を解除することによって、短辺部又は長辺部の長さ寸法よりも小型に分解することができる。したがって、従来の巻取式のものに比べて収納性及び携帯性に優れている。
【０００７】
また、本発明に係る携帯用スクリーンは、各連結部材のそれぞれが、連結される連結部材との連結面に差し込み部又はこの差し込み部を抜き差し自在に収容する収容部を備え、連結部材同士が抜き差し自在に連結されているものである。
このように構成することにより、単に連結部材同士を抜き差しすることにより枠体の組立、分解を行うことができるため、ネジなどを用いて連結する場合に比べてこれらの作業を簡単且つ迅速に行うことができる。また、ネジなどの留め具が紛失して利用できなくなるなどの不都合も無い。
【０００８】
また、本発明に係る携帯用スクリーンは、枠体に連結され、枠体の歪み変形を防止する補強手段を備え、補強手段が、複数の補強用連結部材を連結することにより構成されているものである。
これにより、枠体の歪み変形を防止できる。しかも、補強手段は、複数の補強用連結部材を連結することにより構成されているので、枠体と同様にスクリーン使用後には分解して小型化することができ、収納性及び携帯性を低下させることなく枠体の歪み変形を防止できる。
【０００９】
また、本発明に係る携帯用スクリーンは、枠体に連結され、枠体の歪み変形を防止する補強手段を備え、補強手段が、短辺部側補強手段及び／又は長辺部側補強手段から構成され、短辺部側補強手段及び長辺部側補強手段のそれぞれは、複数の補強用連結部材を連結して枠体の一対の短辺部間又は一対の長辺部間を連結するものである。
このようにすることで、枠体の短辺部側の歪み及び／又は長辺部側の歪みを防止することができる。しかも、短辺部側補強手段及び長辺部側補強手段のそれぞれは、複数の補強用連結部材を連結することにより構成されているので、枠体と同様にスクリーン使用後には分解して小型化することができ、収納性及び携帯性を低下させることなく枠体の歪み変形を防止できる。
【００１０】
また、本発明に係る携帯用スクリーンは、補強手段を構成する各補強用連結部材それぞれは、連結される補強用連結部材又は枠体を構成する連結部材との連結面に差し込み部又はこの差し込み部を抜き差し自在に収容する収容部を備え、連結対象の部材と抜き差し自在に連結されているものである。
このように構成することにより、補強手段を組み立てて枠体に接続するに際しても、枠体の組立、分解時と同様に簡単且つ迅速に行うことができる。また、ネジなどの留め具が紛失して補強手段を利用できなくなるなどの不都合も無い。
【００１１】
また、本発明に係る携帯用スクリーンは、連結する連結部材の個数を変えて枠体を構成することにより、枠体に、アスペクト比の異なるスクリーン幕を取り付け可能としたものである。
これにより、スクリーン幕を交換するとともに、連結部材を追加又は削除して枠体を構成することにより、異なるアスペクト比のスクリーンとして使用可能となる。具体的には例えば、アスペクト比４：３のスクリーンとしても１６：９のスクリーンとしても使用することが可能となる。
【００１２】
また、本発明に係る携帯用スクリーンは、スクリーン幕が、スクリーン面の周縁に、その周縁を補強する補強布が接合された構成を有し、補強布が、枠体の表面に設けた係止部に係合する係合部を備えているものである。
スクリーン幕を枠体に取り付ける際には、補強布に設けた係合部で枠体の表面に取り付けられるため、取り付け状態におけるスクリーン面の捩れや歪みを防止することが可能となる。
【発明を実施するための最良の形態】
【００１３】
実施の形態１．
図１は、本発明の一実施の形態の携帯用スクリーンを示す図、図２は、図１の枠体の分解斜視図、図３は、枠体からスクリーン幕が剥がされた状態の斜視図である。
携帯用スクリーン１は、枠体２と、枠体２に着脱自在に取り付けられ、折り畳み自在なスクリーン幕３とから構成されている。枠体２は、本例ではアルミニウム製で、図２に示すように複数の連結部材２１を抜き差し自在に連結することにより全体として矩形状に構成されたものである。各連結部材２１のそれぞれには、連結される他の連結部材２１との連結面に、差し込み部２２ａ又はこの差し込み部２２ａを抜き差し自在に収容する収容部２２ｂが設けられ、かかる構成により各連結部材２１同士が抜き差し自在となっている。また、枠体２において、各一対の短辺部２ａと長辺部２ｂのそれぞれは、少なくとも１箇所以上（図には３箇所の場合を例示）で分割され、２つ以上の連結部材２１を連結することにより構成されている。このように構成することにより、後に詳述するが、携帯用スクリーン１の収納時に、枠体２を、その短辺部２ａ及び長辺部２ｂの長さよりも小型に分解することが可能になる。
【００１４】
スクリーン幕３は、例えば黒地の不織布に白色塗装が施されることによって構成され、投写される映像を映し出すスクリーン面３ａの周縁に、その周縁を補強する例えば合成皮革製の補強布３ｂが縫製又は接着などにより接合された構成となっている。補強布３ｂには、枠体２の表面に間隔を空けて設けられた複数の雌フック部（係止部）３１ａに係合する複数の雄フック部（係合部）３１ｂが設けられている。補強布３ｂは多少の伸縮性を有しており、全ての雄フック部３１ｂを対応の雌フック部３１ａに係合させて枠体２に取り付けることによりスクリーン幕３に張力が与えられるようになっている。
【００１５】
このように構成された携帯用スクリーン１を使用する際には、まず、連結部材２１の差し込み部２２ａを収容部２２ｂに差し込んで全ての連結部材２１を連結して枠体２を構成する。そして、スクリーン幕３に設けた全ての雌フック部３１ａを枠体２に設けた雄フック部３１ｂに係合させる。このようスクリーン幕３を枠体２に取り付けることによりスクリーン幕３に張力が与えられ、その張力によって各連結部材２１同士の連結部分が固定されて全体が一体化される。これにより携帯用スクリーン１が投写可能な状態となる。
【００１６】
そして、スクリーン使用後は、スクリーン幕３を枠体２から剥がして折り畳むとともに、連結部材２１の各差し込み部２２ａを各収容部２２ｂから差し外して全ての連結部材２１の連結状態を解除して枠体２を分解し、折り畳まれたスクリーン幕３とともに収納袋などに収納する。
【００１７】
このように、本実施の形態１によれば、枠体２を構成する各連結部材２１の連結状態を解除することにより、枠体２を、短辺部２ａ又は長辺部２ｂの長さ寸法よりも小型に分解することができる。したがって、従来の巻取式のものに比べて充分に小型にすることができ、収納性及び携帯性に優れている。
【００１８】
また、単に連結部材２１同士を抜き差しすることにより枠体２の組立、分解を行うことができるため、ネジなどを用いて連結する場合に比べてこれらの作業を簡単且つ迅速に行うことができる。また、ネジなどの留め具が紛失して利用できなくなるなどの不都合も無い。なお、スクリーン幕３を枠体２に取り付けた際のスクリーン幕３の張力によって、各連結部材２１同士の連結部分が固定されて全体が一体化されるため、連結部材２１同士の連結部分に強固な連結構造を用いなくても良好な連結状態を維持可能となっている。
【００１９】
また、スクリーン幕３には、スクリーン面３ａの周縁に補強布３ｂが接合されており、その補強布３ｂに設けた留め具（雌フック部３１ａ）で、枠体２の表面に取り付けるようにしているため、取り付け状態におけるスクリーン面３ａの捩れや歪みを防止することができる。また、スクリーン幕３は、枠体２から取り外すことができるため、必要に応じて家庭で洗濯することができる。
【００２０】
なお、スクリーン幕３を枠体２に取り付けるための取付手段として、本例では雌フック部３１ａと雄フック部３１ｂの例を図示して説明したが、これに限られず、他に例えばマジックテープ（登録商標）等としても良い。
【００２１】
実施の形態２．
携帯用スクリーン１を例えば対角１００インチの大型なものとする場合には、枠体２が歪んでしまう場合がある。実施の形態２は、枠体２の歪み変形を防止するようにしたものである。
【００２２】
図４は、実施の形態２の携帯用スクリーンの枠体を示す斜視図である。
実施の形態２の携帯用スクリーンは、図２に示した実施の形態１の枠体２に、枠体２の歪み変形を防止する補強手段４０を抜き差し自在に連結したもので、その他の構成は図１及び図２と同様である。なお、図４に示す枠体２は、補強手段４０が連結されることによって、連結部材２１間の連結部分における差し込み部２２ａと収容部２２ｂの配置が図２と多少異なっているが、枠体２が差し込み部２２ａと収容部２２ｂによって抜き差し自在に連結される構造に変わりはない。
【００２３】
補強手段４０は、短辺部側補強手段４１及び長辺部側補強手段４２から構成され、短辺部側補強手段４１は複数の補強用連結部材４１ａ，４１ｂ，４１ｃを抜き差し自在に連結して枠体２の一対の短辺部２ａ間を連結し、短辺部２ａ側の歪み（枠体２の幅方向の歪み）を防止している。また、長辺部側補強手段４２は複数の補強用連結部材４２ａ，４１ｂ，４２ｂを抜き差し自在に連結して枠体２の一対の長辺部２ｂ間を連結し、長辺部２ｂ側の歪み（枠体２の高さ方向の歪み）を防止している。また、各補強用連結部材４１ａ〜４１ｃ，４２ａ，４２ｂ同士の連結部分、及び補強用連結部材４１ａ〜４１ｃ，４２ａ，４２ｂと枠構成用の連結部材２１の連結部分は、互いの連結面に図２と同様の差し込み部２２ａ又はこの差し込み部２２ａを抜き差し自在に収容する収容部２２ｂが設けられ、かかる構成により抜き差し自在となっている。
【００２４】
このように構成することにより、実施の形態１とほぼ同じ作用及び効果が得られるとともに、補強手段４０を備えたことによって枠体２の歪み変形を防止できる。しかも、補強手段４０は、複数の補強用連結部材４１ａ〜４１ｃ，４２ａ，４２ｂを抜き差し自在に連結することにより構成され、また、枠体２に対しても抜き差し自在に連結されるため、枠体２と同様にスクリーン使用後には分解して小型化することができ、収納性及び携帯性を低下させることなく枠体２の歪み変形を防止できる。
【００２５】
なお、本実施の形態２では、補強手段４０によって枠体２の幅方向と高さ方向の両方の歪み変形を防止するようにしているが、何れか一方向の歪み変形を防止するように構成しても良い。
【００２６】
実施の形態３．
実施の形態３は、連結する連結部材２１の個数を変えて枠体２を構成することにより、枠体２に、アスペクト比の異なるスクリーン幕３を取り付け可能としたものである。
【００２７】
プロジェクタから投影される画像のアスペクト比は、通常４：３あるいは１６：９である。このため、枠体２を構成する連結部材２１を追加又は削除することにより、アスペクト比が４：３のスクリーンとしても、１６：９のスクリーンとしても利用できるようにする。
【００２８】
図５は、実施の形態３の携帯用スクリーンの枠体を示す斜視図である。図６は、アスペクト比が４：３の場合と１６：９の場合のスクリーンの大きさの比較図である。
ここでは、図６に示すように、アスペクト比が４：３で対角１００インチのスクリーンを、高さ寸法はそのままで、１６：９のスクリーンに変更する場合を考える。この場合、スクリーンの幅方向を２６．６インチ増加させることにより、１６：９のスクリーンに変更することが可能である。したがって、これを考慮して寸法設計された連結部材５１を、図５に示すように枠体２の一対の長辺部２ｂ側に追加又は削除し、その追加又は削除後の枠体２の大きさにあったスクリーン幕を取り付けることにより、アスペクト比が４：３のスクリーンとしても１６：９のスクリーンとしても使用することが可能となる。
【００２９】
なお、実施の形態３では、アスペクト比変更の際の連結部材５１の追加又は削除を、枠体２の長辺部２ｂ側で行う例を示して説明したが、短辺部２ａ側としても良く、また、長辺部２ｂ側及び短辺部２ａ側の両方で行うようにしても良い。
【図面の簡単な説明】
【００３０】
【図１】本発明の実施の形態１の携帯用スクリーンを示す図。
【図２】図１の枠体の分解斜視図。
【図３】枠体からスクリーン幕が剥がされた状態の斜視図。
【図４】実施の形態２の携帯用スクリーンの枠体を示す斜視図。
【図５】実施の形態３の携帯用スクリーンの枠体を示す斜視図。
【図６】アスペクト比が４：３と１６：９のスクリーンの大きさの比較図。
【符号の説明】
【００３１】
１  携帯用スクリーン、２  枠体、２ａ  短辺部、２ｂ  長辺部、３  スクリーン幕、３ａ    スクリーン面、３ｂ  補強布、２１  連結部材、２２ａ  差し込み部、２２ｂ  収容部、４０  補強手段、４１  短辺部側補強手段、４２  長辺部側補強手段、４１ａ，４１ｂ，４１ｃ，４２ａ，４２ｂ  補強用連結部材、５１  連結部材。
【図１】
2005221609.tif 000003
【図２】
2005221609.tif 000004
【図３】
2005221609.tif 000005
【図４】
2005221609.tif 000006
【図５】
2005221609.tif 000007
【図６】
2005221609.tif 000008